(57)【要約】      （修正有）【課題】高度ＢＳデジタル放送信号の信号品質を確保するために、無線ＬＡＮの信号の送信出力及び変調パラメータを制御可能な放送信号受信装置及びその制御方法を提供する。【解決手段】無線通信が可能な放送信号受信装置１００であって、第１の周波数帯を使用して無線通信を行う無線送受信部と、第１の周波数帯と少なくとも一部が被る第２の周波数帯を使用して送られた放送信号を受信するチューナと、第２の周波数帯を使用して送られた放送信号をチューナで受信したときの、放送信号の品質を測定する測定部と、無線送受信部の出力を変えることで、測定部が測定する放送信号の品質の変化を用いて、無線送受信部の出力が放送信号に干渉しているか否かを検出する検出部と、無線送受信部の出力が、放送信号に干渉していると判断した場合に、無線送受信部の送信出力を下げる方向に調整する調整部とを備える。【選択図】図１
2019121957.tif 000002
【特許請求の範囲】
【請求項１】
無線通信が可能であり放送信号を受信する放送信号受信装置であって、
第１の周波数帯を使用して前記無線通信を行う無線送受信部と、
前記第１の周波数帯と少なくとも一部が被る第２の周波数帯を使用して送られた放送信号を受信するチューナと、
前記第２の周波数帯を使用して送られた前記放送信号を前記チューナで受信したときの、前記放送信号の品質を測定する測定部と、
前記無線送受信部の出力を変えることで、前記測定部が測定する前記放送信号の品質の変化を用いて、前記無線送受信部の出力が前記放送信号に干渉しているか否かを検出する検出部と、
前記無線送受信部の出力が、前放送信号に干渉していると判断した場合に、前記無線送受信部の送信出力を下げる方向に調整する調整部とを備える、
放送信号受信装置。
【請求項２】
前記検出部は、前記無線送受信部の送信出力を最大および最小にしたときに、前記測定部が測定する前記放送信号の品質の変化を用いて、前記無線送受信部の出力が、前記放送信号に干渉しているか否かを判断する、
請求項１に記載の放送信号受信装置。
【請求項３】
前記調整部は、前記無線送受信部が送信出力を任意の値下げながら必要に応じて送信出力を任意の値上げることで変化する、前記測定部が測定する前記放送信号の品質の変化を用いて、前記無線送受信部の送信出力の最適値を決定する、
請求項１に記載の放送信号受信装置。
【請求項４】
前記調整部は、送信出力をさらに下げることを可能とするため、前記無線通信の変調パラメータを変更することが可能な、
請求項１に記載の放送信号受信装置。
【請求項５】
無線通信が可能であり放送信号を受信する放送信号受信装置であって、
前記無線通信が使用する第１の周波数帯と少なくとも一部が被る第２の周波数帯を使用して送られた前記放送信号を受信したときに、前記無線通信の出力を変えながら受信した前記放送信号の品質を測定することで、前記無線通信の出力が前記放送信号に干渉しているか否かを判定し、
前記無線通信の出力が前記放送信号に干渉していると判断した場合に、前記無線通信の出力を下げる方向に調整する、
放送信号受信方法。
【発明の詳細な説明】
【技術分野】
【０００１】
本実施形態は、放送信号受信装置に備え付けられた無線ＬＡＮの出力を最適に制御することが可能な放送信号受信装置およびその制御方法に関するものである。
【背景技術】
【０００２】
放送信号受信装置、例えばテレビジョン装置は、受信した放送信号の番組を表示するだけでなくインターネットによるＷｅｂ情報を表示できるようにする等のためローカルエリアネットワーク（ＬＡＮ）との接続Ｉ／Ｆを持つ機種が多数存在する。このＬＡＮは、テレビジョン装置を設置する場所を決める際の利便性から、無線ＬＡＮを採用するのが一般的である。
【先行技術文献】
【特許文献】
【０００３】
【特許文献１】特開２０１７−１５２８０６号公報
【発明の概要】
【発明が解決しようとする課題】
【０００４】
無線ＬＡＮは、２．４ＧＨｚ／５ＧＨｚの周波数帯域を使用しており、高度ＢＳ放送のＩＦ周波数と同一の周波数帯である。放送信号受信装置に内蔵されている無線ＬＡＮの出力信号のレベルは、高度ＢＳデジタル放送のＩＦ周波数の信号の大きさに比べて格段に大きい。このため高度ＢＳデジタル放送信号の信号品質が、無線ＬＡＮの信号により劣化する場合がある。
【０００５】
そこで本実施形態では、高度ＢＳデジタル放送信号の信号品質を確保するために、無線ＬＡＮの信号の送信出力及び変調パラメータを制御可能な放送信号受信装置およびその制御方法を提供することを目的とする。
【課題を解決するための手段】
【０００６】
本実施形態の放送信号受信装置は、無線通信が可能であり放送信号を受信する放送信号受信装置であって、第１の周波数帯を使用して前記無線通信を行う無線送受信部と、前記第１の周波数帯と少なくとも一部が被る第２の周波数帯を使用して送られた放送信号を受信するチューナと、前記第２の周波数帯を使用した前記放送信号を前記チューナで受信したときの、前記放送信号の品質を測定する測定部と、前記無線送受信部の出力を変えることで、前記測定部が測定する前記放送信号の品質の変化を用いて、前記無線送受信部の出力が前記放送信号に干渉しているか否かを検出する検出部と、前記無線送受信部の出力が、前放送信号に干渉していると判断した場合に、前記無線送受信部の送信出力を下げる方向に調整する調整部とを備える、放送信号受信装置である。
【図面の簡単な説明】
【０００７】
【図１】図１は、本実施形態が適用される放送信号受信装置の全体構成の一例を示す図である。
【図２】図２は、高度ＢＳデジタル放送左旋のＩＦ周波数帯と、その周波数帯の利用状況を記載した図である。
【図３】図３は、制御部１５０が、無線ＬＡＮの信号が高度ＢＳデジタル放送信号に干渉しているか否かを検出する処理フローの一例である。
【図４】図４は、図３の処理フローで無線ＬＡＮの信号が高度ＢＳデジタル放送信号に干渉していることが検出された場合に、制御部１５０が無線送受信部１８１の送信出力の調整を行う処理フローの一例である。
【図５】図５は、録画予約リストの一例を示す図である。
【発明を実施するための形態】
【０００８】
以下、本発明の実施の形態について図面を参照して説明する。
【０００９】
図１は、本実施形態が適用される放送信号受信装置１００の全体構成の一例を示す図である。
【００１０】
放送信号受信装置１００は、地上デジタルテレビジョン放送を受信するための地上デジタルテレビジョン放送チューナ１０１、ＢＳデジタル放送／高度ＢＳデジタル放送を受信するためのＢＳデジタル放送チューナ１０２−１、広帯域ＣＳデジタル放送／高度広帯域ＣＳデジタル放送を受信するためのＣＳデジタル放送チューナ１０２−２を備える。ＢＳデジタル放送チューナ１０２−１およびＣＳデジタル放送チューナ１０２−２は、衛星デジタル放送チューナとして例えば一体形成されている、或いは１つのチューナで構成されている。
【００１１】
地上デジタルテレビジョン放送チューナ１０１は、地上デジタルテレビジョン放送を受信すると、この受信した放送信号の中から選局したチャンネルのストリームを抽出し、２Ｋデコーダ１２１に入力する。
【００１２】
ＢＳデジタル放送チューナ１０２−１は、ＢＳデジタル放送を受信すると、この受信した放送信号の中から選局したチャンネルのストリームを抽出し、２Ｋデコーダ１３１又は４Ｋデコーダ１３２又は８Ｋデコーダ１３３に入力する。
【００１３】
広帯域ＣＳデジタル放送チューナ１０２−２は、広帯域ＣＳデジタル放送を受信すると、この受信した放送信号の中から選局したチャンネルのストリームを抽出し、２Ｋデコーダ１３１又は４Ｋデコーダ１３２又は８Ｋデコーダ１３３に入力する。なお放送信号受信装置１００は、広帯域ＣＳデジタル放送チューナ１０２−２を有してなくてもよい。
【００１４】
測定部１１０は、ＢＳデジタル放送チューナ１０２−１、広帯域ＣＳデジタル放送チューナ１０２−２が受信する放送信号の品質を測定する。放送信号の品質の測定方法および手段については後述する。
【００１５】
制御部１５０は、２Ｋデコーダ１２１、２Ｋデコーダ１３１、４Ｋデコーダ１３２又は８Ｋデコーダ１３３の何れかの映像及びオーディオのデコード出力を、表示器１７２に表示したりスピーカ１７４から出力したりするために、装置内の各ブロックを統括的に制御する。
【００１６】
制御部１５０にて選択されたデコード出力は、コンテンツ処理部（映像・オーディオ・字幕データ処理部を含む）１６０に入力される。
【００１７】
制御部１５０は、放送受信装置１００が高度ＢＳデジタル放送を受信している場合、無線ＬＡＮの信号が高度ＢＳデジタル放送の信号に干渉しているか否かの判定を行う。制御部１５０は、この判定結果に応じて、無線ＬＡＮの信号が高度ＢＳデジタル放送の信号に干渉していることを回避するために、無線送受信部１８１を制御することで無線ＬＡＮの出力調整を行う。
【００１８】
制御部１５０は、内部に検出部１５１と調整部１５２とメモリ１５３とを含む。
【００１９】
検出部１５１は、測定部１１０からの測定結果を用いて、無線ＬＡＮの信号が高度ＢＳデジタル放送信号に干渉しているか否かの検出を行う。
【００２０】
調整部１５２は、無線ＬＡＮの信号が高度ＢＳデジタル放送信号に干渉している場合に、無線送受信部１８１を制御することで無線ＬＡＮの出力調整を行う。具体的には干渉している場合、無線ＬＡＮの出力を下げることにより干渉が小さくなる方向に調整する。
【００２１】
メモリ１５３は、無線送受信部１８１に設定する無線ＬＡＮの送信出力の値やそれに関連する設定値を保存することができる。またメモリ１５３は、放送信号受信装置１００が受信する番組情報や、受信する番組を録画予約する録画予約リスト等、放送信号の受信に関連して行われる機能に関する情報も保存することが出来る。
【００２２】
制御部１５０、検出部１５１、および調整部１５２が行う無線送受信部１８１の制御の詳細は、図３、図４を用いて説明する。
【００２３】
コンテンツ処理部１６０は、映像信号、オーディオ信号、字幕データなどのコンテンツを処理する場合、色調整、輝度調整、音量調整、字幕表示オンオフ制御、などを行う。
【００２４】
コンテンツ処理部１６０から出力された映像信号は、表示信号出力部１７１において、例えば８Ｋ表示能力を有する表示器１７２に表示するための処理（例えば機能及びサイズに適したガンマ補正など）が行われ、表示器１７２に出力される。またコンテンツ処理部１６０から出力されたオーディオ信号は、オーディオ信号出力部１７３においてオーディオシステムに応じたオーディオチャンネルに変換・増幅されて、スピーカ１７４に出力される。
【００２５】
リモコン受信部１８０は、リモコン（リモートコントローラ）２００からの信号の受信を行う。
【００２６】
無線送受信部１８１は、例えば無線ＬＡＮルーター（図示せず）と無線回線を介してデータの送受信をすることができる。なおここでいう無線ＬＡＮは、例えばＩＥＥＥ８０２．１１シリーズの規格を満たす無線ＬＡＮである。無線送受信部１８１は、アクセスポイントである無線ＬＡＮルーターの先に接続されているインターネット等のネットワークを介して、ネットワークサービス情報、ネット配信動画などの情報を入手することが可能である。
【００２７】
無線送受信部１８１は、さらに制御部１５０の指示により、無線ＬＡＮの出力の調整を行うこともできる。
【００２８】
なお図１の例にあげた放送信号受信装置１００の無線送受信部１８１は、無線ＬＡＮ通信可能な送受信部として示したが、同機能ブロック内あるいは別の機能ブロックとして他の近距離無線システム、例えばＢｌｕｅｔｏｏｔｈ（登録商標）の送受信部や、他の無線システムが設けられていてもよい。他の近距離無線システム、他の無線システム等においても無線ＬＡＮの場合と同様に、高度ＢＳデジタル放送信号に干渉する周波数や出力である場合には、無線ＬＡＮと同様に出力等の調整を行い、高度ＢＳデジタル放送信号への干渉が小さくなる方向に調整すればよい。
【００２９】
図２は、高度ＢＳデジタル放送左旋のＩＦ周波数帯と、その周波数帯の他の無線システムの利用状況を記載した図である。
【００３０】
周波数帯２０１は、高度ＢＳデジタル放送左旋のＩ／Ｆ周波数のチャンネルごとの使用周波数を表している。
【００３１】
周波数帯２０２は、他の無線システム（例えば無線ＬＡＮ）が使用している使用周波数を表している。
【００３２】
図２に示すように、無線ＬＡＮが２４１２ＭＨｚから２４８４ＭＨｚの周波数帯を使用している。この無線ＬＡＮが使用している周波数帯は、高度ＢＳデジタル放送左旋の１０チャンネル、１２チャンネル、１４チャンネルで使用するＩ／Ｆ周波数と重複している。
【００３３】
そこで制御部１５０は、受信している高度ＢＳデジタル放送信号に無線ＬＡＮの信号が干渉しているか否かの判定を行い、この判定結果によっては無線ＬＡＮの信号による高度ＢＳデジタル放送信号への干渉を回避するために、無線送受信部１８１を制御することで無線ＬＡＮの信号の出力調整を行う。
【００３４】
以下、制御部１５０が、無線送受信部１８１を制御することで、無線ＬＡＮの信号による高度ＢＳデジタル放送信号への干渉を回避する処理について説明する。
【００３５】
制御部１５０が行う、無線ＬＡＮの信号による高度ＢＳデジタル放送信号への干渉を回避する処理は、以下の２つの工程を含む。
【００３６】
１つ目の工程は、無線ＬＡＮの信号が高度ＢＳデジタル放送信号に干渉しているか否かを検出する工程である。
【００３７】
２つ目の工程は、無線ＬＡＮの信号が高度ＢＳデジタル放送信号に干渉していることが検出された場合の、無線送受信部１８１が行う無線ＬＡＮの送信出力の調整である。
【００３８】
はじめに、１つ目の工程である無線ＬＡＮの信号が高度ＢＳデジタル放送信号に干渉しているか否かを検出する処理について説明する。
【００３９】
図３は、制御部１５０が、無線ＬＡＮの信号が高度ＢＳデジタル放送信号に干渉しているか否かを検出する処理フローの一例である。
【００４０】
ＢＳデジタル放送チューナ１０２−１が高度ＢＳデジタル放送信号を受信している場合、制御部１５０は、ＢＳデジタル放送チューナ１０２−１が受信している高度ＢＳデジタル放送信号のチャンネルを確認する。制御部１５０は、ＢＳデジタル放送チューナ１０２−１が受信している高度ＢＳデジタル放送信号のチャンネルが１０チャンネル、１２チャンネル、１４チャンネルのいずれかの場合であると確認すると、この旨を検出部１５１に通知する。
【００４１】
制御部から通知を受けた検出部１５１は、高度ＢＳデジタル放送信号に無線ＬＡＮの信号が干渉しているかの検出処理を開始する（Ｓ３００）。
【００４２】
なお検出部１５１が高度ＢＳデジタル放送信号に無線ＬＡＮの信号が干渉しているかの検出処理を開始（Ｓ３００）する際は、無線送受信部１８１が無線ＬＡＮの出力を行っていても行っていなくても何れでの場合でもよい。無線送受信部１８１が無線ＬＡＮの出力を行っていない場合、Ｓ３００で開始する検出処理は、ＢＳデジタル放送チューナ１０２−１で受信している高度ＢＳデジタル放送信号の１０チャンネル、１２チャンネル、１４チャンネルの受信の途中において無線ＬＡＮの出力を行った場合を想定した検出処理となる。
【００４３】
検出部１５１は、無線送受信部１８１に無線ＬＡＮの送信出力を最大にするように指示する。
【００４４】
検出部１５１から指示を受けた無線送受信部１８１は、無線ＬＡＮの送信出力を最大にする設定を行う（Ｓ３０１）。検出部１５１は、無線ＬＡＮの送信出力を最大にする指示を無線送受信部１８１に出すと続けて測定部１１０に対して、ＢＳデジタル放送チューナ１０２−１で受信している高度ＢＳデジタル放送信号のビットエラー率（ＢＥＲ）およびまたは搬送波対雑音比（ＣＮ比）を測定するように指示する。
【００４５】
検出部１５１からの指示を受けた測定部１１０は、ＢＳデジタル放送チューナ１０２−１で受信している高度ＢＳデジタル放送信号のビットエラー率（ＢＥＲ）およびまたは搬送波対雑音比（ＣＮ比）を測定し（Ｓ３０２）、この結果を検出部１５１に通知する。
【００４６】
検出部１５１は、測定部１１０から通知されたＢＥＲおよびまたはＣＮ比の値を、予め設定してある閾値と比較することで、高度ＢＳデジタル放送の放送波の受信環境を判定する（Ｓ３０３）。
【００４７】
Ｓ３０３の判定の結果、放送波の受信環境が良好である場合（Ｓ３０３のＹｅｓ）、検出部１５１は、無線ＬＡＮの信号が高度ＢＳデジタル放送信号に干渉していないと判断し、内部に持つステータスを、高度ＢＳデジタル放送信号は無線ＬＡＮの信号による干渉なしに設定（Ｓ３０４）し処理を終了する（Ｓ３０５）。
【００４８】
Ｓ３０３の判定の結果、放送波の受信環境が良好でない場合（Ｓ３０３のＮｏ）、検出部１５１は、無線ＬＡＮの信号が高度ＢＳデジタル放送信号に干渉している可能性があると判断し、さらに検出処理を続ける。
【００４９】
検出部１５１は、無線ＬＡＮの送信出力をＯＦＦに設定し（Ｓ３０６）、測定部１１０に対して、ＢＳデジタル放送チューナ１０２−１で受信している高度ＢＳデジタル放送信号のビットエラー率（ＢＥＲ）およびまたは搬送波対雑音比（ＣＮ比）を測定するように指示する。
【００５０】
検出部１５１からの指示を受けた測定部１１０は、ＢＳデジタル放送チューナ１０２−１で受信している高度ＢＳデジタル放送の信号のビットエラー率（ＢＥＲ）およびまたは搬送波対雑音比（ＣＮ比）を測定し（Ｓ３０７）、この結果を検出部１５１に通知する。
【００５１】
検出部１５１は、測定部１１０から通知されたＢＥＲおよびまたはＣＮ比の値を、予め設定してある閾値と比較することで、高度ＢＳデジタル放送の放送波の受信環境を判定する（Ｓ３０８）。
【００５２】
Ｓ３０８の判定の結果、放送波の受信環境が良好である場合（Ｓ３０８のＹｅｓ）、検出部１５１は、無線ＬＡＮの信号が高度ＢＳデジタル放送信号に干渉していないと判断し、内部に持つステータスを、高度ＢＳデジタル放送信号は無線ＬＡＮの信号による干渉なしに設定（Ｓ３０４）し処理を終了する（Ｓ３０５）。
【００５３】
Ｓ３０８の判定の結果、放送波の受信環境が良好でない場合（Ｓ３０８のＮｏ）、検出部１５１は、無線ＬＡＮの信号が高度ＢＳデジタル放送信号に干渉していると判断し、内部に持つステータスを、高度ＢＳデジタル放送信号は無線ＬＡＮの信号による干渉ありに設定（Ｓ３１０）し処理を終了する（Ｓ３０５）。
【００５４】
なお、検出部１５０がＳ３００の処理の開始を検出部１５１に指示する条件として、ＢＳデジタル放送チューナ１０２−１が高度ＢＳデジタル放送信号の１０チャンネル、１２チャンネル、１４チャンネルのいずれかのチャンネルを受信している場合であるとしたが、これに限らない。例えば制御部１５０は、チャンネルを限定せずに、ＢＳデジタル放送チューナ１０２−１が高度ＢＳデジタル放送信号のいずれかのチャンネルを受信している場合に、検出部１５１に指示してもよい。あるいは制御部１５０は、ＢＳデジタル放送チューナ１０２−１が高度ＢＳデジタル放送信号の特定のチャンネル、例えば１２チャンネルを受信していることを確認した場合だけ、検出部１５１に指示してもよい。あるいは例えば制御部１５０は、放送信号受信装置１００が初期設定後に、高度ＢＳデジタル放送信号の１０チャンネル、１２チャンネル、１４チャンネルのいずれかのチャンネルを初めて受信した場合に、検出部１５１に指示してもよい。
【００５５】
次に２つ目の工程である、干渉が発生していることが検出された場合の、無線送受信部１８１が行う無線ＬＡＮの送信出力調整の処理について説明する。
【００５６】
図４は、図３の処理フローで無線ＬＡＮの信号が高度ＢＳデジタル放送信号に干渉していることが検出された場合に、無線送受信部１８１が行う無線ＬＡＮの送信出力の調整の処理フローの一例である。
【００５７】
検出部１５１は、内部に持つステータスが、高度ＢＳデジタル放送信号は無線ＬＡＮの信号による干渉ありの場合、この旨を調整部１５２に通知することで調整部１５２は、無線送受信部１８１の送信出力の調整を開始する（Ｓ４００）。
【００５８】
調整部１５２は、無線ＬＡＮの送信出力に設定する値がメモリ１５３に保存（記憶）されているかどうかを判定する（Ｓ４０１）。
【００５９】
Ｓ４０１の判定の結果、メモリ１５３に保存されている場合（Ｓ４０１のＹｅｓ）、調整部１５２はメモリ１５３に保存されている値を無線ＬＡＮの送信出力として設定するように無線送受信部１８１に指示する。調整部１５２から指示を受けた無線送受信部１８１は、この指示された値を無線ＬＡＮの出力として設定する（Ｓ４０２）。
【００６０】
Ｓ４０１の判定に結果、メモリ１５３に保存されていない場合（Ｓ４０１のＮｏ）、調整部１５２は設定可能な最大値を無線ＬＡＮの送信出力として設定するように無線送受信部１８１に指示する。調整部１５２から指示を受けた無線送受信部１８１は、設定可能な最大値を無線ＬＡＮの出力として設定する（Ｓ４１０）。
【００６１】
次に調整部１５２は、測定部１１０に対して、ＢＳデジタル放送チューナ１０２−１で受信している高度ＢＳデジタル放送信号のビットエラー率（ＢＥＲ）およびまたは搬送波対雑音比（ＣＮ比）を測定するように指示する。
【００６２】
調整部１５２からの指示を受けた測定部１１０は、ＢＳデジタル放送チューナ１０２−１で受信している高度ＢＳデジタル放送の放送信号のビットエラー率（ＢＥＲ）およびまたは搬送波対雑音比（ＣＮ比）を測定し（Ｓ４０３）、この結果を調整部１５２に通知する。
【００６３】
調整部１５２は、通知されたＢＥＲおよびまたはＣＮ比の値を、予め設定してある閾値と比較することで、放送波の受信環境を判定する（Ｓ４０４）。
【００６４】
Ｓ４０４の判定の結果、放送波の受信環境が良好でない場合（Ｓ４０４のＮｏ）、調整部１５２は、無線ＬＡＮの送信出力を下げるために、現状の送信出力の設定値が下限値であるか否かの判定を行う（Ｓ４１２）。
【００６５】
Ｓ４１２の判定の結果、送信出力が下限値でない場合（Ｓ４１２のＮｏ）、調整部１５２は、送信出力をＸｄｂ下げる（Ｓ４１１）。ここでＸは、予め定められた値である。以降放送波の受信環境が良好（Ｓ４０４のＹｅｓ）になるまで、若しくは調整部１５２は送信出力の設定値が下限値に達する（Ｓ４１２のＹｅｓ）まで、送信出力をＸｄｂだけ下げ続ける（Ｓ４１１）。
【００６６】
Ｓ４０４の判定の結果、放送波の受信環境が良好である場合（Ｓ４０４のＹｅｓ）、調整部１５２は、続いて送信出力の微調整を行う。
【００６７】
調整部１５２は、送信出力の微調整を次のようにして行う。
【００６８】
調整部１５２は、放送波の受信環境が良好で無線ＬＡＮの送信出力を少しでも上げることができる（放送波受信環境のマージンが十分である）と判断する（Ｓ４０５のＹｅｓ）と、送信出力をＹｄｂだけ上げる（Ｓ４１３）。
【００６９】
このように調整部１５２は、Ｓ４１１の送信出力をＸｄｂだけ下げる処理（Ｓ４１１）と、送信出力をＹｄｂだけ上げる処理（Ｓ４１３）を繰り返すことで、放送波受信環境のマージンを最小にする（Ｓ４０５のＮｏ）ことができる。
【００７０】
なお、Ｓ４１１の処理におけるＸの値とＳ４１３の処理におけるＹの値とは、どのような値でも構わないが、ＸとＹが異なることが望ましい。これは放送波受信環境のマージンを最小にするためである。
【００７１】
調整部１５２は、放送波受信環境のマージンが十分でなくなる（マージンが最小になる）と（Ｓ４０５のＮｏ）、この時の送信出力として設定した値、変調パラメータの値をメモリ１５３に保存して（Ｓ４０８）、処理を終了する（Ｓ４０９）。
【００７２】
Ｓ４１２の判定の結果、送信出力が下限値である場合（Ｓ４１２のＹｅｓ）、調整部１５２は、送信出力をさらに下げることを可能とするために、変調方式を変えるために変調パラメータを変更することが可能か否かを判定する（Ｓ４１４）。ある変調方式において送信出力が下限値に達したとしても、放送波受信環境が良好とならなかった場合（Ｓ４１２のＹＥＳ）には、変調方式を変えることによりさらに送信出力を下げることとが可能となり、その結果放送波受信環境が良好な状態になる（Ｓ４０４のＹｅｓ）となる場合もある。
【００７３】
Ｓ４１４の判定の結果、変調パラメータを変更することが可能な場合（Ｓ４１４のＹｅｓ）、調整部１５２は、送信出力をさらに下げることを可能とするために、送信側のパラメータを変更するように、無線送受信部１８１に指示する。
【００７４】
調整部１５２からの指示を受けた無線送受信部１８１は、送信出力をさらに下げることを可能とするため送信側のパラメータを変更して（Ｓ４１５）、無線ＬＡＮの出力を行う。
【００７５】
Ｓ４１４の判定の結果、変調パラメータを変更することが可能でない場合（Ｓ４１４のＮｏ）、調整部１５２は、送信出力を下げることをやめ、無線送受信部１８１に設定している送信出力の値をメモリ１５３に保存して（Ｓ４０８）処理を終了する（Ｓ４０９）。
【００７６】
ここでＳ４１４やＳ４１５の変調パラメータの変更とは、より低い伝送速度が可能な変調方式に変更することである。変調パラメータの変更は、例えば６４ＱＡＭ（Ｑｕａｄｒａｔｕｒｅ  Ａｍｐｌｉｔｕｄｅ  Ｍｏｄｕｌａｔｉｏｎ）から１６ＱＡＭまたはＱＰＳＫ（Ｑｕａｄｒａｔｕｒｅ  Ｐｈａｓｅ  Ｓｈｉｆｔ  Ｋｅｙｉｎｇ）に変更することである。
【００７７】
このように本実施形態の放送信号受信装置１００は、実際の環境を測定することで、無線ＬＡＮの信号が高度ＢＳデジタル放送信号に干渉しているかどうかを検出することが可能なため、例えばＢＳデジタル放送チューナ１０２−１が受信している高度ＢＳデジタル放送信号のチャンネル番号だけを見て無線ＬＡＮの送信出力を制御する場合に比べて、無線ＬＡＮの送信出力をより適切に細かく制御することが可能となる。
【００７８】
例えば、無線送受信部１８１は、ユーザが所有するモバイル無線ＬＡＮルーターを介してインターネットに接続している場合も考えられる。あるいは、ユーザが所有するスマートフォンやタブレット等の携帯端末のテザリング機能を使って、携帯端末を介してインターネット等のネットワークに接続している場合も考えられる。
【００７９】
このような場合、無線送受信部１８１とモバイル無線ＬＡＮルーターとの間あるいは携帯端末との間の無線環境は、ユーザの移動により大きく変わることが想定される。本実施形態の放送信号受信装置１００は、このような無線環境が大きく変わる場合に、特に効果を発揮する。すなわち本実施形態の放送信号受信装置１００は、高度ＢＳデジタル放送の実際の受信環境を判定して、無線ＬＡＮの送信出力を適応的に決めることが可能であるため、無線環境が大きく変化した場合でも、最適な無線ＬＡＮの送信出力を決定することが可能となる。
【００８０】
さらに本実施形態の放送信号受信装置１００は、１つ目の工程である高度ＢＳデジタル放送信号に無線ＬＡＮの信号が干渉しているか否かを検出する検出処理およびまたは２つ目の工程である無線ＬＡＮの送信出力の調整処理を、他の情報もとに動作させてもよい。放送信号受信装置１００は、例えば録画予約リストに登録されている、録画予約情報をもとに、検出処理およびまたは調整処理を起動してもよい。
【００８１】
図５は、録画予約リストの一例である。縦軸が時間、横軸がチャンネルで、表示されている番組が録画予約の対象の番組であることを示している。この図に表示されている範囲内では、例えば１２番組が録画予約の対象の番組となっていることを示している。例えば番組５１１は、チャンネル“ＢＢＢＢＢ”５０１で午後８時から午後９時まで放送される番組ＸＸＸＸＸＸＸＸＸが録画予約されていることを示している。ここでチャンネル“ＢＢＢＢＢ”５０１は、高度ＢＳデジタル放送のチャンネルであり、他は全て高度ＢＳデジタル放送のチャンネルでないものとする。また、現在の時刻が午後７時であるとする。
【００８２】
この場合放送信号受信装置１００は、録画予約リストに登録されている情報をもとに、番組５１１の録画が開始される前に、検出処理およびまたは調整処理を起動させてもよい。これにより放送信号受信装置１００は、番組５１１の録画が開始される前に、調整処理に要する時間以上に余裕を持って、調整処理を起動することが可能となる。この結果放送信号受信装置１００は、番組５１１に示す高度ＢＳデジタル放送の番組の録画を行うのに、最適な無線ＬＡＮの出力を設定することが可能となる。
【００８３】
番組を録画予約する場合、ユーザが録画予約した番組を同時に視聴していない場合が多いため、ユーザは放送信号受信装置１００が録画を開始したときの放送波の受信環境が悪いことに気付かずに、録画を継続してしまう場合もある。このため録画を開始する前に、無線ＬＡＮの信号が高度ＢＳデジタル放送信号に干渉していないかを検出し、場合によっては無線ＬＡＮの送信出力の調整を行うことは非常に重要である。
【００８４】
放送信号受信装置１００は、高度ＢＳデジタル放送の番組の録画を行う際に必ず、１つ目の工程である高度ＢＳデジタル放送信号に無線ＬＡＮの信号が干渉しているか否かを検出する検出処理およびまたは２つ目の工程である無線ＬＡＮの送信出力の調整処理を動作させてもよい。あるいは放送信号受信装置１００は、１日のうち最初の高度ＢＳデジタル放送の番組の録画を行う際にだけ、１つ目の工程である高度ＢＳデジタル放送信号に無線ＬＡＮの信号が干渉しているか否かを検出する検出処理およびまたは２つ目の工程である無線ＬＡＮの送信出力の調整処理を動作させてもよい。あるいは放送信号受信装置１００は、１日のうち最初に電子番組ガイドを取得する際にだけ、１つ目の工程である高度ＢＳデジタル放送信号に無線ＬＡＮの信号が干渉しているか否かを検出する検出処理およびまたは２つ目の工程である無線ＬＡＮの送信出力の調整処理を動作させてもよい。あるいは放送信号受信装置１００は、ある一定期間経過後において最初の高度ＢＳデジタル放送の番組の録画を行う際にだけ、１つ目の工程である高度ＢＳデジタル放送信号に無線ＬＡＮの信号が干渉しているか否かを検出する検出処理およびまたは２つ目の工程である無線ＬＡＮの送信出力の調整処理を動作させてもよい。
【００８５】
放送信号受信装置１００は、例えば無線送受信部１８１の無線ＬＡＮの送信出力の変化の遷移を確認することで、録画予約情報をもとに、検出処理およびまたは調整処理を起動してもよい。
【００８６】
また本実施形態の放送信号受信装置１００は、例えばユーザ操作が可能なメニュー画面により、１つ目の工程である高度ＢＳデジタル放送信号に無線ＬＡＮの信号が干渉しているか否かを検出する検出処理およびまたは２つ目の工程である無線ＬＡＮの送信出力の調整処理を、ユーザが自由なタイミングで動作させてもよい。
またユーザ操作が可能な設定メニューには、図４のＳ４０８でメモリ１５３に保存した送信出力の値をリセットする機能を設けてもよい。例えば放送信号受信装置１００の配置変更、あるいはルーターの配置や機種変更、あるいは引っ越しをした場合等、高度ＢＳデジタル放送の放送波受信環境が変わる場合が多い。このような場合には、メモリ１５３に保存した送信出力の値をリセットすることで、再度最初から１つ目の工程である高度ＢＳデジタル放送信号に無線ＬＡＮの信号が干渉しているか否かを検出する検出処理およびまたは２つ目の工程である無線ＬＡＮの送信出力の調整処理を実施した方が望ましい。このようにユーザ操作が可能な設定メニューにて、放送信号受信装置１００の高度ＢＳデジタル放送の放送波受信環境の変化のいろいろなケースに対応して種々の機能を持つことで、ユーザの利便性を向上させることが可能となる。
【００８７】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
【００８８】
また、図面は、説明をより明確にするため、実際の態様に比べて、模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００８９】
１００・・・放送信号受信装置、１０２−１・・・ＢＳデジタル放送チューナ、１１０・・・測定部、１５１・・・検出部、１５２・・・調整部、１８１・・・無線送受信部。
【図１】
2019121957.tif 000003
【図２】
2019121957.tif 000004
【図３】
2019121957.tif 000005
【図４】
2019121957.tif 000006
【図５】
2019121957.tif 000007